(57)【要約】【課題】  雨天時に使用した折りたたみ傘を容易に持ち運び、袋から雨水を落下させ、中の折りたたみ傘を乾きやすくすると共に、雨水を落下させられない屋内では折りたたみ傘収納袋から雨水が漏れ出ない状態にすることに加え、落下した雨水が使用者や周囲の者にかかることがないようにすること及び、バッグなどに素早くコンパクトに収納できる機能を有するツーウエイタイプの折りたたみ傘収納袋の提案を目的とする。【解決手段】  折りたたみ傘収納袋１は側部２に防水性生地、底部３にメッシュ状生地、側部片面側２１に可動式防水性ポケット４、袋の開口部６１に取っ手７を取り付ける。また、底部３から垂れ下げた防水性生地による持ち出し布５、側部２は開口部６１が広く、下方に向かうほど狭い形状、ポケット開口部４１は伸縮性を持たせ、取り付け部８１と伸縮性ループ８を取り付けるたことを特徴とする。【選択図】図１
2019000602.tif 000002
【特許請求の範囲】
【請求項１】
折りたたみ傘を収納するための折りたたみ傘収納袋１であって前記折りたたみ傘収納袋１には、上端６に折りたたみ傘を挿入する開口部６１と前記開口部６１の周縁に取り付けられた取っ手７が設けられ、側面には防水性生地による側部２で囲まれ、底面にはメッシュ状生地で形成された底部３が設けられ、裏返した場合に底部３を覆うことが可能な表面積を有する可動式防水性生地ポケット４を側部片面側２１に取り付けたことを特徴とする折りたたみ傘収納袋。
【請求項２】
請求項１記載の折りたたみ傘収納袋１であって、前記底部３の周囲より垂れ下がる持ち出し布５が設けられ、前記持ち出し布５は収納された折りたたみ傘の重量によって前記底部３が垂れ下がった際に前記底部３が外部に露出しない長さを有しており前記開口部６１において折りたたみ傘が束ねていない状態で挿入可能な幅を有し、前記側部２は前記底部３に向かうにつれて漸次狭くなるように設けられていることを特徴とする折りたたみ傘収納袋。
【請求項３】
請求項１及び２記載の折りたたみ傘収納袋１であって、前記可動式防水性生地ポケット４のポケット開口部４１に伸縮性を持たせ、前記ポケット開口部４１に取り付け部８１と前記取り付け部８１に通した伸縮性ループ８を取り付けたことを特徴とする折りたたみ傘収納袋。
【発明の詳細な説明】
【技術分野】
【０００１】  この発明は，雨天時に使用した折りたたみ傘を収納するために用いられる折りたたみ傘収納袋に関するものである。
【背景技術】
【０００２】  通常、外出時に折りたたみ傘を使用した場合、その濡れた状態の折りたたみ傘は、使用者の手でその傘の持ち手を把持するか、あるいは、雨に濡れた状態でそのまま折りたたみ傘の収納袋に収納することにより、持ち運びを行う。【０００３】  折りたたみ傘の持ち手を把持して運ぶ場合、傘は濡れた状態で束ねられているため、持ち運びすることが不便であるだけではなく、電車などで周囲の者の衣類を汚してしまう場合がある。また、傘自体が長尺である為、使用者にとって持ち運びすることが邪魔であると共に、対向から歩いてくる歩行者にとってもすれ違い時にぶつかるなど迷惑なものとなり得る。
一方で、折りたたみ傘を収納袋に収納して持ち運ぶ場合、〔特許文献１〕に示されているような従来の折りたたみ傘の収納袋では、収納部の開口が十分な大きさを有していないために収納袋の中に入れづらかったり、あるいは、雨に濡れた状態のまま折りたたみ傘を無理やり収納しても折りたたみ傘の表面に付着している雨の水分が袋から染み出る等で衣服を濡らすことがある。また、収納袋の内部が吸水生地の場合は袋自体が渇きにくくなるため、カビ等が発生し、使用者にとって不便で不快な状態となり得る。当然、傘自体も乾きにくいのが現状である。
【先行技術文献】
【特許文献】
【０００４】
【特許文献１】実登３０５４３１９号公報
【発明の概要】
【発明が解決しようとする課題】
【０００５】  本発明は、雨天時に使用した折りたたみ傘を容易に持ち運び、袋から雨水を落下させ、中の折りたたみ傘を乾きやすくすると共に、雨水を落下させられない屋内では折りたたみ傘収納袋１から雨水が漏れ出ない状態にすることに加え、落下した雨水が使用者や周囲の者にかかることがないようにすること及び、バッグなどに素早くコンパクトに収納できる機能を有するツーウエイタイプの折りたたみ傘収納袋の提案を目的とする。
【課題を解決するための手段】
【０００６】  本発明における請求項１に係る発明は折りたたみ傘を収納するための折りたたみ傘収納袋１であって前記折りたたみ傘収納袋１には、上端６に折りたたみ傘を挿入する開口部６１と前記開口部６１の周縁に取り付けられた取っ手７が設けられ、側面には防水性生地による側部２で囲まれ、底面にはメッシュ状生地で形成された底部３が設けられ、裏返した場合に底部３を覆うことが可能な表面積を有する可動式防水性生地ポケット４を側部片面側２１に取り付けたことを特徴とする。【０００７】  本発明における請求項２に係る発明は、請求項１記載の折りたたみ傘収納袋１であって、前記底部３の周囲より垂れ下がる持ち出し布５が設けられ、前記持ち出し布５は収納された折りたたみ傘の重量によって前記底部３が垂れ下がった際に前記底部３が外部に露出しない長さを有しており前記開口部６１において、折りたたみ傘が束ねていない状態で挿入可能な幅を有し、前記側部２は前記底部３に向かうにつれて漸次狭くなるように設けられていることを特徴とする。【０００８】  本発明における請求項３に係る発明は、請求項１及び２記載の折りたたみ傘収納袋１であって、前記可動式防水性生地ポケット４のポケット開口部４１に伸縮性を持たせ、前記ポケット開口部４１に取り付け部８１と前記取り付け部８１に通した伸縮性ループ８を取り付けたことを特徴とする。
【発明の効果】
【０００９】  本発明の構成により雨天時に使用した折りたたみ傘を容易に持ち運び、袋から雨水を落下させ、中の折りたたみ傘を乾きやすくすると共に、雨水を落下させられない屋内では折りたたみ傘収納袋１から雨水が漏れ出ない状態にすることに加え、落下した雨水が使用者や周囲の者にかかることがないようにすること及び、バッグなどに素早くコンパクトに収納できる機能を有するツーウエイタイプの折りたたみ傘収納袋１にすることを可能とする。
【図面の簡単な説明】
【００１０】
【図１】この発明の実施形態を示す図である。
【図２】この発明の実施形態を示すＡ−Ａの斜視図である。
【図３】この発明の実施形態を示すＡ−Ａの斜視図であって可動式防水性生地ポケット４を裏返した状態を示す。
【図４】この発明の使用中の形態を示すＡ−Ａの斜視図である。
【図５】この発明の使用中の形態であって収納するまでの手順を示す図である。  （Ａ）  折りたたみ傘を挿入後、可動式防水性生地ポケット４を裏返す図  （Ｂ）  可動式防水性生地ポケット４を裏返した後、折りたたみ傘収納袋１の上部を傘の長さに合わせ折り返す図  （Ｂ１）（Ｂ）のＢ−Ｂ断面の斜視図  （Ｃ）  折りたたみ傘収納袋１を折り返し後、折りたたみ傘を芯にして袋ごと巻き付ける図  （Ｄ）  折りたたみ傘を巻き付け後、伸縮性ループ８でとめつけた図
【発明を実施するための形態】
【００１１】    以下、添付図面を参照しつつ、本発明の実施形態を詳細に説明する。
【００１２】（全体構成）
本発明の折りたたみ傘収納袋１の全体図を図１に示す。図１及び図２に示すように、本発明の折りたたみ傘収納袋１は、収納された折りたたみ傘を被覆するために十分な大きさを有する側部２と、側部２の下端において、収納された折りたたみ傘が落下することがないように支える底部３によって折りたたみ傘収納袋１の側面と下面が形成されている。折りたたみ傘収納袋１の側部２の上端６には、この収納袋を使用する使用者が把持することができる取っ手７が取り付けられている。また、折りたたみ傘収納袋１の上端６の開口部６１は折りたたみ傘を束ねない状態でも挿入可能な幅を有しており、側部２は底部３に向かうにつれて狭く形成されていることで中の傘の横倒れを防ぎ雨水を落下しやすくする。
【００１３】（底部３の詳細）
図１及び図２に示すように本発明の折りたたみ傘収納袋１の底面に設けられる底部３は、メッシュ状あるいは網目状の生地によって形成されており、そのメッシュの目の大きさは、折りたたみ傘の先端が、メッシュの目から突き抜けて外部にはみ出ることがないような大きさに形成されている。このように、底部３をメッシュ状の生地によって形成されているので、使用した折りたたみ傘の表面に付着している水滴は、収納袋の中から、メッシュの目を通じて、外部に落下することができ、収納袋の中に雨水が溜まることを防止する。
【００１４】（可動式防水性生地ポケット４の説明）
図１及び図２に示すように、折りたたみ傘収納袋１の側部２の外表面の一方は、上方向にポケット開口部４１を有する可動式防水性生地ポケット４が形成されている。この可動式防水性生地ポケット４は、側部２の外表面のうち側部片面側２１にのみ設けられており、その形状は、幅方向の長さが側部片面側２１の幅と同じ長さであって、高さ方向の長さは図３に示すように可動式防水性生地ポケット４を側部他面側２２に裏返した時、収納袋の中の雨水が漏れ出なように底部３を覆うことが可能な長さを有する設計とする。なお、可動式防水性生地ポケット４の上端であるポケット開口部４１に伸縮性を持たせており可動式防水性生地ポケット４のポケット開口部４１が開いた状態のままになることを防止すると共に、可動式防水性生地ポケット４を裏返した際、ポケット開口部４が不用意に開き折りたたみ傘収納袋１の中の雨水が漏れ出ることを防止する。また、図５の（Ｃ）及び（Ｄ）で示すように傘を折りたたみ傘収納袋１に入れて収納袋１を折りたたみ傘に巻き付けてコンパクトな形状にした後、その状態を保持するための取り付け部８１と伸縮ループ８を取り付けている。
【００１５】（持ち出し布５の詳細）
本発明、折りたたみ傘収納袋１の側部２の下端には、図１及び図２に示されるように、底部３の周囲、すなわち側部２の下端から高さ方向に長さを有して設けられる持ち出し布５が形成されている。この持ち出し布５は、防水性を有する生地によって形成されることが望ましい。持ち出し布５の高さ方向の長さは、図４に示すように、収納袋１の内部に折りたたみ傘が収納されている際、折りたたみ傘の重量によって収納袋１の底部３が下方向に伸びた場合であっても、メッシュ状の底部３が外部に露出することがないような長さに設定されている。これによって、メッシュ状の底部３を通じて外部に落下される雨水が、周囲に巻き散らかされることなく、真下方向にのみ落下することとなる。
【００１６】（使用した折たたみ傘を持ち運ぶときの使用方法）
図５の（Ａ）に示すように、雨に濡れた傘を本発明の折りたたみ傘収納袋１に挿入した後、使用者は折りたたみ傘収納袋１の上端６にある取っ手７を把持することにより濡れた傘を束ねて保持することなく持ち運ぶことができる。そして、傘に付着した雨水は、底部３のメッシュ状生地から下方に落下する。また側部２の下方にある持ち出し布５は傘の重量で底部３メッシュ部分が露出しないように設けられているため、外部に雨水をまき散らすことを防止することができる。そして、電車から下車後はその折りたたみ傘を折りたたみ傘収納袋１から取り出し使用する。なお、傘を取り出した後の折りたたみ傘収納袋１は手さげ袋として持ち運ぶことで繰り返し折りたたみ傘の出し入れをすることを可能にする。
【００１７】（室内に入ったときの使用方法）
屋外から室内に入った場合、図５の（Ｂ）に示すように本発明の折りたたみ傘収納袋１の可動式防水性生地ポケット４を側部他面側２２に裏返し、底部３を覆う。これによって、雨水が屋内の床に落下して、周囲を汚すことを防ぎながら取っ手７を把持した状態で持ち運ぶことができる。
さらに、図５の（Ｃ）に示すように、折りたたみ傘をバッグ等に収納する場合は折りたたみ傘収納袋１の側部２と取っ手７を折りたたみ傘の長さにあわせて折り返す。そして、図５の（Ｃ）及び（Ｄ）に示すように挿入した折りたたみ傘を束ねることなく袋に入れた状態のままポケット開口部４１の取り付け部８１と伸縮性ループ８が取り付けていない側に寄せて置き、その傘を芯にして巻き付けることでコンパクトな形状にした後、伸縮性ループ８でとめつける。このように、折りたたみ傘を収納袋で包囲しコンパクトな形状にすることで、バッグ等に収納することを可能にする。
【００１８】「産業上の利用可能性」
現在、折りたたみ傘は使用後の持ち運びにくさ、バッグ等への再収納の困難さ、店舗などでの専用ビニール袋への挿入しづらさ、傘立てへの入れづらさ等の不便さにより折りたたみ傘が利用されにくい状態にある。
本発明の折りたたみ傘収納袋１を利用することで前記の問題が解決され、折りたたみ傘の利用者が増加することで雨上がりの傘忘れ、使い捨てのように使用のビニール傘の遺棄などによる不燃ゴミを減少させたり、電車等で発生する、傘からの雨水によるトラブルを減少させる効果が見込める。
また、本発明の折りたたみ傘収納袋１はコンパクトで軽量、そしてコストにおいても安価に生産できるため、利用者に負担をかけず、折りたたみ傘収納袋１のみでの提供もしくは折りたたみ傘と折りたたみ傘収納袋１とセットでの提供も可能となる。
【００１９】  「他の実施形態」
ポケット開口部４１にある伸縮性ループ８は端部に一対のマジックテープや釦が取り付けられ、それによって取り外し可能な紐で巻き付ける設計でも良い。
【符号の説明】
【００２０】１    折りたたみ傘収納袋
２    側部
３    底部
４    可動式防水性生地ポケット
５    持ち出し布
６    上端
７    取っ手
８    伸縮性ループ
２１  側部片面側
２２  側部他面側
４１  ポケット開口部
６１  開口部
８１  取り付け部
【図１】
2019000602.tif 000003
【図２】
2019000602.tif 000004
【図３】
2019000602.tif 000005
【図４】
2019000602.tif 000006
【図５】
2019000602.tif 000007